(57)【要約】    【課題】  本発明の目的とするところは、廃棄して埋め立てたときに土に戻る土壁のボードを提供することにある。  また単純な構造であって、厚さが薄く軽いため住宅への取り付け作業の負担が小さく、安価な土壁のボードを提供することにある。    【解決手段】  土壁用の土である中土と、籾殻又はそば殻又は籾殻とそば殻との混合物のいずれかと、中長の竹の繊維を混合した下地材８と、下地材８の中に網目状に埋め込んだヒゴ竹７とを有する中塗下地４及び中塗ボード１とする。  また、中土と、籾殻の粉又はそば殻の粉又は籾殻の粉とそば殻の粉の混合物のいずれかと、短長の竹の繊維を混入した上塗下地５を、中塗下地４に塗り重ねた上塗ボード２とする。  さらに、中塗下地４に上塗下地５を塗り重ねた上に紙６を貼った紙貼ボード３とする。【選択図】              図１
2007031991.tif 000002
【特許請求の範囲】
【請求項１】
土壁用の土である中土と、籾殻又はそば殻又は籾殻とそば殻の混合物のいずれかと、天然繊維を混合した下地材と、
前記下地材の中に網目状に埋め込んだヒゴ竹又は細く削った木のいずれかを有することを特徴とする中塗下地又は中塗ボード。
【請求項２】
中土と、籾殻又はそば殻又は籾殻とそば殻の混合物のいずれかと、竹の繊維又はわらの繊維又は竹の繊維とわらの繊維の混合物のいずれかを混ぜ合わせてなる下地材と、
前記下地材の中に網目状に埋め込んだヒゴ竹又は細く削った木のいずれかを有することを特徴とする中塗下地又は中塗ボード。
【請求項３】
請求項１又は請求項２のいずれかに記載した中塗下地又は中塗ボードであって、籾殻又はそば殻を粉砕して小さくした籾殻又はそば殻を使用したことを特徴とする中塗下地又は中塗ボード。
【請求項４】
請求項１〜請求項３のいずれかに記載した中塗下地又は中塗ボードであって、下地材に天然の糊を混入したことを特徴とする中塗下地又は中塗ボード。
【請求項５】
請求項１〜請求項４のいずれかに記載した中塗下地と、
中土と、籾殻の粉又はそば殻の粉又は籾殻の粉とそば殻の粉の混合物のいずれかと、天然繊維とを混入したことを特徴とする上塗下地とを有することを特徴とした上塗ボード。
【請求項６】
請求項１〜請求項４のいずれかに記載した中塗下地と、
中土と、籾殻の粉又はそば殻の粉又は籾殻の粉とそば殻の粉の混合物のいずれかと、天然繊維とを混入したことを特徴とする上塗下地と、
前記上塗下地の表面に貼った紙とを有することを特徴とする紙貼ボード。
【請求項７】
請求項６に記載した紙貼ボードであって、紙に多数の小さな穴を開けたことを特徴とする紙貼ボード。
【発明の詳細な説明】
【技術分野】
【０００１】
本発明は、住宅の壁材として使用するボードに係り、特に住宅の解体後に廃材として廃棄したときに土に戻る効果の得られる土壁のボードに関するものである。
【背景技術】
【０００２】
従来、住宅の壁材としては石膏ボードが使用されていたが、石膏ボードは廃材として再利用することが不可能であり、燃えないため埋め立てる方法以外に廃棄物として処理する手段がなかった。しかも埋め立てた場合、石膏ボードは土に戻ることはなく自然を破壊する原因になっていた。
また土壁のボードとしては、土壁用の土である中土と籾殻と藁などを混合した材料と、構造用合板と、木枠と、竹止用桟などからなるものがあった（例えば、特許文献１参照）。
しかし係る発明には、多くの種類の材料を使用し多層で複雑な構造になっているため製造に際し多数の手間と工程を必要とし、過大な厚さとなるため重量が重く住宅への取り付け作業の負担が大きく、建材として使用する場合に高価なものとなる問題があった。
【特許文献１】特開２００３−３５００７号公報
【発明の開示】
【発明が解決しようとする課題】
【０００３】
本発明は上記した従来技術の欠点を除くためなされたものであって、その目的とするところは、廃棄して埋め立てたときに土に戻る土壁のボードを提供することにある。
また他の目的は、単純な構造であって、厚さが薄く軽いため住宅への取り付け作業の負担が小さく、建材として安価なボードを提供することにある。
【課題を解決するための手段】
【０００４】
本発明は、中土と、籾殻又はそば殻又は籾殻とそば殻の混合物のいずれかと、天然繊維を混合した下地材と、さらに前記下地材の中に網目状に埋め込んだヒゴ竹または細く削った木のいずれかを有することを特徴とする中塗下地とする。
また、中土と、籾殻の粉又はそば殻の粉又は籾殻の粉とそば殻の粉の混合物のいずれかと、天然繊維を混入した上塗下地とする。
【発明の効果】
【０００５】
本発明に係る土壁ボ−ドは、すべて天然の素材からなるため、廃棄して埋め立てた後には土にもどり、自然破壊の原因とならない効果があった。
また本発明により、単純な構造であって、厚さが薄く軽いため住宅への取り付け作業の負担が小さく、建材として安価なボードを提供することができた。
【発明を実施するための最良の形態】
【０００６】
請求項１の発明は、中土と、籾殻又はそば殻又は籾殻とそば殻の混合物のいずれかと、天然繊維を混合した下地材と、
前記下地材の中に網目状に埋め込んだヒゴ竹又は細く削った木のいずれかを有する中塗下地又は中塗ボードとする。
中塗下地は上塗ボードを構成する層として中間材として使用することが可能である。また、中塗ボードはそのまま建築材料として流通させ、これを釘打ちやビス止めなどにより建物に取り付けた後に、現場で左官仕上げを行って壁を完成させる方法で使用することが可能である。
天然繊維としては竹の繊維、藁の繊維、トウモロコシの繊維、サトウキビの繊維などが好ましく、繊維の長さを１０〜２０ｍｍ程度の中長に切断して使用することが好ましい。
また、ヒゴ竹又は細く削った木として太さ２〜３ｍｍ程度のヒゴ竹又は木を、縦と横にそれぞれ１０〜３０ｍｍ程度の間隔で網目状に並べて下地材に埋め込むことが好ましい。
請求項２の発明は、中土と、籾殻又はそば殻又は籾殻とそば殻の混合物のいずれかと、竹の繊維又はわらの繊維又は竹の繊維とわらの繊維の混合物のいずれかを混ぜ合わせてなる下地材と、
前記下地材の中に網目状に埋め込んだヒゴ竹又は細く削った木のいずれかを有する中塗下地又は中塗ボードとする。
竹の繊維と藁の繊維は入手容易であり材料として特に好ましいからである。
請求項３の発明は、請求項１又は請求項２のいずれかに記載した中塗ボードであって、籾殻又はそば殻を粉砕して小さくした籾殻又はそば殻を使用した中塗下地又は中塗ボードとする。
籾殻やそば殻をそのまま混入した場合、中塗下地や中塗ボードの厚さを薄くすると籾殻やそば殻の凹凸が表面に表れてしまうが、本発明のように籾殻やそば殻を粉砕して１／２〜１／３のサイズにして使用すると、中塗下地や中塗ボードの厚さを薄くしても表面に凹凸が表れないため、軽くて薄い中塗下地や中塗ボードを得るためには好ましい。
【０００７】
請求項４の発明は、請求項１〜請求項３のいずれかに記載した中塗下地又は中塗ボードであって、天然の糊を混入した中塗下地又は中塗ボードとする。
天然の糊としては海藻から作った天然の糊であって角叉と呼ばれる糊を使用することが好ましい。
また、請求項１〜請求項４に記載した中塗下地又は中塗ボードの下地材に石灰を少し加えることも好ましい。
請求項５の発明は、請求項１〜請求項４のいずれかに記載した中塗下地と、
中土と、籾殻の粉又はそば殻の粉又は籾殻の粉とそば殻の粉の混合物のいずれかと、天然繊維とを混入したことを特徴とする上塗下地とを有する上塗ボードとする。
上塗り下地は厚さを薄くするため、籾殻やそば殻を粉に粉砕して使用する。天然繊維としては竹の繊維、藁の繊維、トウモロコシの繊維、サトウキビの繊維などが好ましく、繊維の長さを５〜１０ｍｍ程度の短長に切断して使用することが好ましい。
また、上塗下地の材料の中に石灰を少し加えることも好ましい。
中塗下地と上塗下地の２層からなる上塗ボードを建築材料として流通させ、これを釘打ちやビス止めなどにより建物に取り付けた後に、現場で左官仕上げを行って壁を完成させる方法で使用する。
請求項６の発明は、請求項１〜請求項４のいずれかに記載した中塗下地と、
中土と、籾殻の粉又はそば殻の粉又は籾殻の粉とそば殻の粉の混合物のいずれかと、天然繊維とを混入したことを特徴とする上塗下地と、
前記上塗下地の表面に貼った紙とを有する紙貼ボードとする。
中塗下地と上塗下地と紙の３層からなる紙貼ボードを建築材料として流通させ、これを釘打ちやビス止めなどにより建物に取り付けた後に、クロス張りや塗装などの仕上げを行って使用する。
請求項７の発明は、請求項６に記載した紙貼ボードであって、紙に多数の小さな穴を開けた紙貼ボードとする。
紙に多数の穴を開けることにより通気性をよくしたものである。
【実施例１】
【０００８】
以下本発明の実施例１を図１に示し説明する。実施例１に係る中塗下地４又は中塗ボード１は、幅８００〜９００ｍｍ×長さ１８００〜２０００ｍｍ×厚さ１０〜１５ｍｍの大きさとし、下地材８の中に２ｍｍ太さのヒゴ竹７を、縦と横にそれぞれ２０ｍｍの間隔で網目状に並べて下地材８に埋め込んだものである。
下地材８は容量比で中土の量を１とした場合に、籾殻の量を１．５、竹の繊維を１０〜２０ｍｍの長さに切った中長の竹スサの量を０．３の割合で混合したものである。
本実施例では、籾殻を家庭の料理用のミキサーを使用して、１／２〜１／３のサイズになるまで粉砕して使用した。
中塗下地４は上塗下地を構成する層として中間材として使用する。また、中塗ボード１は釘打ちやビス止めなどにより建物に取り付けた後に、現場で左官仕上げを行って壁を完成させる方法で使用する。
【実施例２】
【０００９】
続いて本発明の実施例２を図２に示し説明する。実施例２の上塗ボード２は、幅８００〜９００ｍｍ×長さ１８００〜２０００ｍｍ×厚さ１２〜１５ｍｍの大きさとした。また中塗下地４の厚さを１０〜１２ｍｍとし、上塗下地５の厚さを２〜３ｍｍとした。
本実施例は、実施例１に記載した中塗下地４に上塗下地５を塗り重ねたものであり、上塗下地５は容量比で中土の量を１とした場合に、籾殻の粉の量を２、竹の繊維を５〜１０ｍｍの長さに切断した短長の竹スサの量を０．３の割合で混合したものである。
本実施例では、籾殻を家庭の料理用のミキサーに入れて粉になるまで粉砕して使用した。
上塗ボード２は釘打ちやビス止めなどにより建物に取り付けた後に、現場で左官仕上げを行って使用する。実施例１に比べ上塗下地５が施工済みのため現場における工程が１工程減って効率的である。
【実施例３】
【００１０】
さらに本発明の実施例３を図３に示し説明する。実施例３の紙貼ボード３は、幅８００〜９００ｍｍ×長さ１８００〜２０００ｍｍ×厚さ１２．５〜１５．５ｍｍの大きさとした。
本実施例は、実施例１に記載した中塗下地４に、実施例２に記載した上塗下地５を塗り重ね、さらに上塗下地５の上に紙６を貼ったものである。
紙貼ボード２は釘打ちやビス止めなどにより建物に取り付けた後に、現場でクロス張りや塗装仕上げを行って使用する。実施例２に比べ左官仕上げが不要となるため、左官職人による作業が不要となる効果がある。
【産業上の利用可能性】
【００１１】
本発明は、土壁のボードを製造販売する産業及び建築産業で利用される。
【図面の簡単な説明】
【００１２】
【図１】中塗ボードの一部を破断した部分斜視図である。
【図２】上塗ボードの一部を破断した部分斜視図である。
【図３】紙貼ボードの一部を破断した部分斜視図である。
【符号の説明】
【００１３】
１：中塗ボード              ２：上塗ボード              ３：紙貼ボード
４：中塗下地                ５：上塗下地                ６：紙
７：ヒゴ竹                  ８：下地材
【図１】
2007031991.tif 000003
【図２】
2007031991.tif 000004
【図３】
2007031991.tif 000005